(57)【要約】【課題】高い操作性を有する電力系統保護制御システムを得ること。【解決手段】本発明は、第１および第２のリレーユニットを備えた保護リレー装置と、ＨＩ画面を表示し、第１のリレーユニットの整定操作および第２のリレーユニットの整定操作を含む各種操作を受け付ける管理装置と、を備え、第１および第２のリレーユニットは、ＨＩ画面を表示させる際に使用する情報が格納されたＷｅｂサーバを搭載し、管理装置はＷｅｂブラウザを搭載し、Ｗｅｂブラウザは、第１および第２のリレーユニットのＷｅｂサーバから所望の情報を取得し、単一画面の第１の領域に第１または第２のリレーユニットのＨＩ画面を表示させるとともに、第１の領域に表示させるＨＩ画面を切り換えるための切換操作ボタンおよびＨＩ画面の表示を終了させるための終了操作ボタンを第２の領域に表示させる。【選択図】図１
2013126296.tif 000002
【特許請求の範囲】
【請求項１】
電力系統の保護および監視を行う第１のリレーユニットおよび第２のリレーユニットを備えた保護リレー装置と、
前記第１のリレーユニットのＨＩ画面および前記第２のリレーユニットのＨＩ画面を表示し、前記第１のリレーユニットの整定操作および前記第２のリレーユニットの整定操作を含む各種操作を受け付ける管理装置と、
を備え、
前記第１のリレーユニットおよび前記第２のリレーユニットは、前記管理装置が前記ＨＩ画面を表示させる際に使用する情報が格納されたＷｅｂサーバをそれぞれ搭載し、
前記管理装置は、Ｗｅｂブラウザを搭載し、当該Ｗｅｂブラウザは、前記第１のリレーユニットおよび前記第２のリレーユニットそれぞれのＷｅｂサーバから所望の情報を取得し、当該取得した情報に基づいて、単一画面の第１の領域に前記第１のリレーユニットのＨＩ画面または前記第２のリレーユニットのＨＩ画面を表示させるとともに、当該第１の領域に表示させるＨＩ画面を切り換えるための切換操作ボタンおよびＨＩ画面の表示を終了させるための終了操作ボタンを第２の領域に表示させることを特徴とする電力系統保護制御システム。
【請求項２】
前記Ｗｅｂブラウザは、前記単一画面として、前記第１のリレーユニットのＨＩ画面を表示させる第１のフレームと、前記第２のリレーユニットのＨＩ画面を表示させる第２のフレームと、前記切換操作ボタンおよび前記終了操作ボタンを表示させる第３のフレームと、を備え、当該第１のフレームおよび当該第２のフレームの一方の表示幅を１００％に設定するとともに他方の表示幅を０％に設定した画面を生成し、前記第１の領域に表示させるＨＩ画面の切り換え操作が実施された場合には、当該第１のフレームおよび当該第２のフレームそれぞれの表示幅の設定を入れ換えることを特徴とする請求項１に記載の電力系統保護制御システム。
【請求項３】
前記Ｗｅｂブラウザは、前記第１のリレーユニットおよび前記第２のリレーユニットの少なくとも一方が整定中の場合には、ＨＩ画面の表示を終了させる操作を受け付けないことを特徴とする請求項１または２に記載の電力系統保護制御システム。
【請求項４】
前記第１のリレーユニットおよび前記第２のリレーユニットは、利用を許可するユーザとして予め登録されたユーザからの操作のみを受け付けることとし、
前記第１のリレーユニットまたは前記第２のリレーユニットが、利用を許可するユーザのユーザ名およびパスワードを含んだ認証データを保持し、
前記管理装置は、起動後、前記認証データを取得するとともにユーザにユーザ名およびパスワードを入力させ、当該取得した認証データと、ユーザから入力されたユーザ名およびパスワードとに基づいて、当該ユーザに前記第１のリレーユニットおよび前記第２のリレーユニットの利用を許可するか否かを判定し、利用を許可する場合には、ユーザから入力されたユーザ名を、利用を許可するユーザの情報として前記第１のリレーユニットおよび前記第２のリレーユニットに通知することを特徴とする請求項１、２または３に記載の電力系統保護制御システム。
【発明の詳細な説明】
【技術分野】
【０００１】
本発明は、電力系統の保護・制御を行う電力系統保護制御システムに関するものである。
【背景技術】
【０００２】
電力系統保護制御システムに用いられる系統保護リレー装置は、その装置構成上は１台の装置であっても、複数のリレーユニットで構成されている場合がある。また、ＨＩ（Human  Interface）画面はリレーユニット単位で構成されている。そのため、ＨＩ画面を表示するには、リレーユニット単位にＩＰアドレスを割り当てる必要があり、系統保護リレー装置によっては、装置構成上は１台の装置でありながら、２個のＩＰアドレスを割り当て、２つの独立したＨＩ画面を使って監視・制御を行っている。
【０００３】
また、上記では２個のＩＰアドレスを割り当てているが、管理上の制約やＩＰアドレス数の制限などの関係から、１台の系統保護リレー装置に対し、１つのＩＰアドレスしか割り当てないケースがある。その場合は、リレーユニット毎にＩＰアドレス＋ポートＮｏを割り当てる事で、系統保護リレー装置１台に対して１個のＩＰアドレスは実現できているものの、ＨＩ画面については、従来通り、２つの独立したＨＩ画面を使って監視・制御を行っている（特許文献１，２）。
【先行技術文献】
【特許文献】
【０００４】
【特許文献１】特開２００６−３１１４０７号公報
【特許文献２】特開２００８−００５６６８号公報
【発明の概要】
【発明が解決しようとする課題】
【０００５】
複数のリレーユニットで構成されている系統保護リレー装置の場合、リレーユニット単位でＨＩ画面の監視・制御を行う必要がある。その場合、ユーザが各リレーユニットに対応するＨＩ画面をそれぞれ起動し、各々のＨＩ画面を切り換えながら監視・制御を行っていた。その為、ＨＩ画面の起動や画面切り換えに手間がかかるという問題があった。
【０００６】
また、リレーユニット単位に認証情報が存在し、リレーユニット単位にログイン認証の実施、ユーザ名やパスワード等の認証情報の登録・削除を行わなければならないという問題があった。
【０００７】
本発明は、上記に鑑みてなされたものであって、ＨＩ画面の表示切り換え操作およびこれに関連する操作において高い操作性を有する電力系統保護制御システムを得ることを目的とする。
【課題を解決するための手段】
【０００８】
上述した課題を解決し、目的を達成するために、本発明は、電力系統の保護および監視を行う第１のリレーユニットおよび第２のリレーユニットを備えた保護リレー装置と、前記第１のリレーユニットのＨＩ画面および前記第２のリレーユニットのＨＩ画面を表示し、前記第１のリレーユニットの整定操作および前記第２のリレーユニットの整定操作を含む各種操作を受け付ける管理装置と、を備え、前記第１のリレーユニットおよび前記第２のリレーユニットは、前記管理装置が前記ＨＩ画面を表示させる際に使用する情報が格納されたＷｅｂサーバをそれぞれ搭載し、前記管理装置は、Ｗｅｂブラウザを搭載し、当該Ｗｅｂブラウザは、前記第１のリレーユニットおよび前記第２のリレーユニットそれぞれのＷｅｂサーバから所望の情報を取得し、当該取得した情報に基づいて、単一画面の第１の領域に前記第１のリレーユニットのＨＩ画面または前記第２のリレーユニットのＨＩ画面を表示させるとともに、当該第１の領域に表示させるＨＩ画面を切り換えるための切換操作ボタンおよびＨＩ画面の表示を終了させるための終了操作ボタンを第２の領域に表示させることを特徴とする。
【発明の効果】
【０００９】
この発明によれば、ユーザは一括ユニットのＨＩ画面と分割ユニットのＨＩ画面の表示切り換えをスムーズに行うことができるとともに、一度の操作で２つのユニットのＨＩ画面を同時に終了させることができる。すなわち、操作を簡単化して操作性を向上させることができる、という効果を奏する。
【図面の簡単な説明】
【００１０】
【図１】図１は、本発明にかかる電力系統保護制御システムの構成例を示す図である。
【図２】図２は、表示切り換え動作を示す図である。
【図３】図３は、コントロールフレームと一括ユニット用フレームで管理用画面を形成した場合の画面表示の一例を示す図である。
【図４】図４は、管理用画面の表示制御手順の一例を示すフローチャートである。
【図５】図５は、管理用画面の表示切り換え制御手順の一例を示すフローチャートである。
【図６】図６は、ＨＩ画面の表示終了制御手順の一例を示すフローチャートである。
【図７】図７は、実施の形態２の電力系統保護制御システムの構成例を示す図である。
【図８】図８は、電力系統保護制御システムが起動してからＨＩ画面を表示するまでの間に実施するユーザ認証動作の一例を示すフローチャートである。
【発明を実施するための形態】
【００１１】
以下に、本発明にかかる電力系統保護制御システムの実施の形態を図面に基づいて詳細に説明する。なお、この実施の形態によりこの発明が限定されるものではない。
【００１２】
実施の形態１．
図１は、本発明にかかる電力系統保護制御システムの構成例を示す図である。電力系統保護制御システムは、保護リレー装置１および管理装置２を備えて構成されている。保護リレー装置１と管理装置２は、例えばイーサケーブルで接続され、ＴＣＰ／ＩＰ通信を行う。
【００１３】
保護リレー装置１は、ＩＰ変換ユニット１１と、一括ユニットであるリレーユニット１２と、分割ユニットであるリレーユニット１３とを備えている。
【００１４】
本実施の形態の電力系統保護制御システムにおいては、リレーユニットごとにＩＰアドレスが個別に割り当てられているが、管理装置２は、各リレーユニットとＴＣＰ／ＩＰ通信を行う際、全リレーユニットで共通のＩＰアドレス（以下、共通ＩＰアドレスと呼ぶ）と各リレーユニットに割り当てられているポート番号とを組み合わせて、通信相手先とするリレーユニットを指定することとする。このような通信は、ＩＰ変換ユニット１１を備えたことによって実現されている。すなわち、ＩＰ変換ユニット１１は、全リレーユニットで共通のＩＰアドレス（以下、共通ＩＰアドレスと呼ぶ）と各リレーユニットに個別に割り当てられているポート番号およびＩＰアドレスの対応関係が記載されたテーブルを保持しておき、共通ＩＰアドレス＋ポート番号が設定されたデータを管理装置から受信すると、共通ＩＰアドレス＋ポート番号をこれに対応するＩＰアドレス（いずれかのリレーユニットのＩＰアドレス）に変換して転送する。また、リレーユニットから管理装置２あてのデータを受信した場合には、送信元のリレーユニットに割り当てられているＩＰアドレスを共通ＩＰアドレス＋このリレーユニットのポート番号に変換して転送する。
【００１５】
リレーユニット１２（一括ユニット）は、リレー処理部１２１およびＷｅｂサーバ１２２を含んでおり、リレー処理部１２１では、保護対象の複数の母線を一括監視し、いずれか一つの母線で事故を検出した場合には、各母線と接続されている送電線（回線）に設置されている各遮断器に対してトリップ指令を出力する。Ｗｅｂサーバ１２２は、管理装置２が自装置（リレーユニット１２）のＨＩ画面を表示する際に使用する各種情報（電力系統の監視結果、リレーユニットの設定状態、ソフトウェア等）を保持している。一方、リレーユニット１３（分割ユニット）は、リレー処理部１３１およびＷｅｂサーバ１３２を含んでおり、リレー処理部１３１では、保護対象の複数の母線を個別に監視し、母線での事故等を検出した場合には、事故を検出した母線と接続されている送電線（回線）に設置されている遮断器に対してトリップ指令を出力する。Ｗｅｂサーバ１３２は、管理装置２が自装置（リレーユニット１３）のＨＩ画面を表示する際に使用する各種情報を保持している。リレーユニット１２と１３の違いは、リレー処理部１２１と１３１が実行する動作のみである。
【００１６】
管理装置２は、各リレーユニットの整定や状態確認などをユーザが行うための装置であり、ＨＩ画面の表示機能を有している。管理装置２は、例えば、パーソナルコンピュータ（以下、ＰＣ）２１などの電子計算機においてＷｅｂブラウザ２２を動作させることによって実現されている。詳細については別途説明するが、Ｗｅｂブラウザ２２は、ユーザから受け付けた操作に応じて保護リレー装置１の各リレーユニットが備えているＷｅｂサーバ１２２または１３２と通信（ＴＣＰ／ＩＰ通信）を行い、ＰＣ２１の表示部（表示パネル）に表示させる画面に関するデータの収集、画面表示データの生成などを行う。そして、コントロールフレーム２３、一括ユニット用フレーム２４および分割ユニット用フレーム２５の３つの表示領域からなる管理用画面を表示する。コントロールフレーム２３は、操作ボタンを表示させるためのフレーム、一括ユニット用フレーム２４は一括ユニットのＨＩ画面を表示させるためのフレーム、分割ユニット用フレーム２５は分割ユニットのＨＩ画面を表示させるためのフレームである。
【００１７】
図１では、管理用画面の構成が明確となるように、一括ユニット用フレーム２４と分割ユニット用フレーム２５を同じサイズで横に並べて表示させているが、実際には、いずれか一方のフレームの幅を１００％、他方のフレームの幅を０％として、一括ユニット用フレーム２４と分割ユニット用フレーム２５を排他的に表示させる。コントロールフレーム２３には、一括ユニット用フレーム２４と分割ユニット用フレーム２５のどちらを表示させるか切り換える（フレーム幅の設定を１００％対０％から０％対１００％に切り換える）ための操作ボタン２７（表示切り換えボタン）を表示させる。また、管理用画面の表示を終了させるための操作ボタン２６（終了ボタン）も表示させる。なお、図１に示した“ｈｔｔｐ：／／Ｅ．Ｆ．Ｇ．Ｈ／Ｈｍｉ．ｈｔｍｌ”は、一括ユニット用フレーム２４へ表示させるＨＩ画面の情報（画面データ）が格納されている場所を示すＵＲＬ（Uniform  Resource  Locator）であり、“ｈｔｔｐ：／／Ｅ．Ｆ．Ｇ．Ｊ／Ｈｍｉ．ｈｔｍｌ”は、分割ユニット用フレーム２５へ表示させるＨＩ画面の情報が格納されている場所を示すＵＲＬである。
【００１８】
図２は、表示切り換え動作を示す図であり、図示したように、Ｗｅｂブラウザは、操作ボタン２７（表示切り換えボタン）が操作されるごとに、コントロールフレーム２３の下に表示させるフレームを、一括ユニット用フレーム２４と分割ユニット用フレーム２５の間で切り換える。なお、すでに説明したとおり、一括ユニット用フレーム２４および分割ユニット用フレーム２５の表示幅の設定を１００％対０％と０％対１００％の間で切り換えることにより、表示するフレーム（ＨＩ画面）を切り換える。
【００１９】
図３は、コントロールフレーム２３と一括ユニット用フレーム２４で管理用画面を構成した場合の画面表示の一例を示す図である。一括ユニット用フレーム２４と分割ユニット用フレーム２５のどちらを表示させるか切り換えるための操作ボタン２７（表示切り換えボタン）は、図３に示したように、一括ユニット用フレームの表示指定ボタン（図示した「一括画面へ」ボタンに相当）と分割ユニット用フレームの表示指定ボタン（図示した「分割画面へ」ボタンに相当）を排他的に表示させて実現しても構わない。このような構成とした場合、リレーユニットが３台以上の場合でも、簡単な操作で所望のＨＩ画面表示に切り換えることが可能となる。
【００２０】
つづいて、管理装置２のＷｅｂブラウザ２２が、コントロールフレーム２３、一括ユニット用フレーム２４および分割ユニット用フレーム２５の３つの表示領域からなる管理用画面を表示させる場合の制御手順について、図４を用いて説明する。なお、図４は、管理用画面の表示制御手順の一例を示すフローチャートである。これ以降の説明においては、リレーユニット１２と１３を区別するために、必要に応じて、リレーユニット１２を一括ユニット１２と表現するとともに、リレーユニット１３を分割ユニット１３と表現する。また、操作ボタン２６と２７を区別するために、必要に応じて、操作ボタン２６を終了ボタン２６、操作ボタン２７を表示切り換えボタン２７と表現する。
【００２１】
Ｗｅｂブラウザ２２が起動中の状態において（ステップＳ１１）、管理用画面の表示開始を指示する操作、すなわち、コントロールフレーム２３を実現するためのソフトウェアが格納されている一括ユニット１２内のＵＲＬがユーザにより指定されると（ステップＳ１２）、Ｗｅｂブラウザ２２は、指定されたＵＲＬ（Ｗｅｂサーバ１２２）に格納されているコントロールＳＷ（ソフトウェア）を取得する（ステップＳ１３）。次に、取得したコントロールＳＷが、コントロールフレーム２３にコントロール画面の表示を開始するとともに、一括ユニット１２および分割ユニット１３に接続して、一括ユニット用フレーム２４に表示させるＨＩ画面のデータ（ソフトウェア）と、分割ユニット用フレーム２５に表示させるＨＩ画面のデータ（ソフトウェア）を取得し、一括ユニット用フレーム２４へのＨＩ画面表示および分割ユニット用フレーム２５へのＨＩ画面表示を開始する（ステップＳ１４）。なお、一括ユニット用フレーム２４の表示幅を１００％、分割ユニット用フレームの表示幅を０％とする表示を行うこととし、ユーザは一括ユニット用フレーム２４のみが見えるようにする。
【００２２】
その後、コントロールＳＷは、一括ユニット用フレーム２４への表示および分割ユニット用フレーム２５への表示が完了したかどうかを確認する。例えば、一括ユニット用フレーム２４へのＨＩ画面表示が完了していることを示すフラグ、および分割ユニット用フレーム２５へのＨＩ画面表示が完了していることを示すフラグを管理装置２の記憶部（図示せず）内に準備しておき、一括ユニット用フレーム２４にＨＩ画面を表示させるＳＷ、および分割ユニット用フレーム２５にＨＩ画面を表示させるＳＷは、ＨＩ画面の表示が完了した時点で、対応するフラグをＯＮに設定する構成とする。コントロールＳＷは、各フラグ（ＦＬＧ）の状態を確認することにより、一括ユニット用フレーム２４への表示および分割ユニット用フレーム２５への表示が完了したかどうか判断する（ステップＳ１５，Ｓ１６）。この処理は、各フレームへのＨＩ画面の表示が完了するまでの所要時間が大きい（１分以上要することもありうる）ため、実行する。
【００２３】
一括ユニット用フレーム２４への表示および分割ユニット用フレーム２５への表示のいずれか一方でも完了していない場合（ステップＳ１６：Ｎｏ）、フラグの状態確認を継続する。一方、一括ユニット用フレーム２４への表示および分割ユニット用フレーム２５への表示の双方が完了した場合（ステップＳ１６：Ｙｅｓ）、コントロールＳＷは、コントロールフレーム２３に終了ボタン２６および表示切り換えボタン２７を表示させ、これらを操作できる状態にする（ステップＳ１７）。
【００２４】
つづいて、管理用画面の下側のフレーム表示（コントロールフレーム２３の下に表示させるフレーム）を一括ユニット用フレーム２４（一括ユニット１２のＨＩ画面を表示させたフレーム）と分割ユニット用フレーム２４（分割ユニット１３のＨＩ画面を表示させたフレーム）の間で切り換える場合の制御手順について、図５を用いて説明する。なお、図５は、管理用画面の表示切り換え制御手順の一例を示すフローチャートである。
【００２５】
図１に示したように、一括ユニット用フレーム２４と分割ユニット用フレーム２５は、隣り合わせに表示されるような作りとなっており、フレームの表示割合を指定することで、割合に応じて各フレームを表示させるようにしている。
【００２６】
具体的には、たとえば、Ｗｅｂブラウザ２２に一括ユニット対応画面（コントロールフレーム２３＋一括ユニット用フレーム２４）が表示されている状態でユーザが表示切り換えボタン２７を押すと（ステップＳ２１，Ｓ２２）、一括ユニット用フレーム２４と分割ユニット用フレーム２５の表示割合が０：１００となり（ステップＳ２３）、一括ユニット対応画面に代えて分割ユニット対応画面（コントロールフレーム２３＋分割ユニット用フレーム２５）を表示する（ステップＳ２４）。また、分割ユニット対応画面が表示されている状態で表示切り換えボタン２７を押すと、一括ユニット用フレーム２４と分割ユニット用フレーム２５の表示割合が、１００：０となり、一括ユニット対応画面を再表示する。
【００２７】
つづいて、一括ユニット１２のＨＩ画面および分割ユニット１３のＨＩ画面の表示を終了する場合の制御手順について、図６を用いて説明する。なお、図６は、ＨＩ画面の表示終了制御手順の一例を示すフローチャートである。
【００２８】
例えば、Ｗｅｂブラウザ２２に一括ユニット対応画面（コントロールフレーム２３＋一括ユニット用フレーム２４）が表示されている状態でユーザが終了ボタン２６を押すと（ステップＳ３１，Ｓ３２）、コントロールフレーム２３のコントロールＳＷが、一括ユニット１２のＨＩ画面（一括ユニット用フレーム２４）の設定中フラグおよび分割ユニット１３のＨＩ画面（分割ユニット用フレーム２５）の設定中フラグの状態を確認し（ステップＳ３３）、設定中フラグの少なくとも一方がＯＮに設定されている場合（ステップＳ３３：Ｎｏ）、エラーダイアログを表示する（一括ユニット対応画面の表示を終了させない）（ステップＳ３５）。
【００２９】
ここで、上記の設定中フラグは、対応するリレーユニットの整定が行われている場合にＯＮに設定されるものとする。一括ユニット１２の整定を開始する操作が行われた場合、一括ユニット１２のＨＩ画面の設定中フラグがＯＮに設定され、分割ユニット１３の整定を開始する操作が行われた場合、分割ユニット１３のＨＩ画面の設定中フラグがＯＮに設定される。整定を終了する操作が行われると、対応する設定中フラグはＯＦＦに設定される。
【００３０】
一括ユニット１２および分割ユニット１３のＨＩ画面の設定中フラグが共にＯＦＦに設定されている場合には（ステップＳ３３：Ｙｅｓ）、一括ユニット１２のＨＩ画面および分割ユニット１３のＨＩ画面の両方の表示を終了させる（ステップＳ３４）。
【００３１】
なお、一括ユニット１２および分割ユニット１３は、設定中フラグの状態が変化した場合に、その旨をコントロールＳＷへ通知し、コントロールＳＷは、設定中フラグをＯＮに設定した旨の通知を受けると、終了ボタン２６の表示を一時的に終了するようにしてもよい。すなわち、一括ユニット１２および分割ユニット１３の設定フラグが共にＯＦＦの状態においてのみ、終了ボタン２６を表示させるようにしてもよい。
【００３２】
このように、本実施の形態の電力系統保護制御システムを構成する管理装置において、Ｗｅｂブラウザは、１つの画面の第１の領域に一括ユニットのＨＩ画面または分割ユニットのＨＩ画面を表示させるとともに、第１の領域に表示されるＨＩ画面を切り換えるための操作ボタンおよびＨＩ画面の表示を終了させるための操作ボタンを第２の領域に表示させることとした。これにより、ユーザは一括ユニットや分割ユニットのＨＩ画面の切り換えをスムーズに行える。加えて、一度の操作で２つのユニットのＨＩ画面を同時に終了させることが可能になり、操作性を向上させることができる。
【００３３】
実施の形態２．
実施の形態２の電力系統保護制御システムについて説明する。本実施の形態の電力系統保護制御システムは、ユーザの認証動作（ログイン動作）に特徴を有する。その他の部分については実施の形態１と同様であるため、ユーザの認証動作以外については説明を省略する。
【００３４】
複数のリレーユニットを備えた従来の保護リレー装置は、既に説明したように、２つの独立したＨＩ画面を使って監視・制御を行う構成とされていた。また、単一のリレーユニットを備えた保護リレー装置を考慮し、ユーザの認証はリレーユニットごとに個別に実施する構成とされていた。そのため、リレーユニットを複数備えている場合、ユーザはログイン操作を複数回行う必要があり、操作性が悪いという問題があった。
【００３５】
そこで、本実施の形態の電力系統保護制御システムでは、以下に示す構成を採用し、ユーザ認証にかかる操作性を向上させている。
【００３６】
図７は、実施の形態２の電力系統保護制御システムの構成例を示す図である。本実施の形態では、一括ユニット（リレーユニット）１２が認証データ１２３を保持し、この認証データ１２３を使用してユーザの認証を行う。認証データ１２３には、ユーザ名やパスワード、認証レベル等が含まれているものとする。図７では、ユーザ認証に必要な情報を取得するためのログイン画面３１をＷｅｂブラウザ２２が表示させている場合の例を示している。
【００３７】
図８は、電力系統保護制御システムが起動してからＨＩ画面を表示するまでの間に実施するユーザ認証動作の一例を示すフローチャートである。
【００３８】
電力系統保護制御システムの起動操作がユーザにより行われると、管理装置２において、まず、Ｗｅｂブラウザ２２が起動し、Ｗｅｂブラウザ２２は、起動操作に対応付けられているＵＲＬ（一括ユニット１２内の所定のＵＲＬ）から、コントロールＳＷを取得するとともに、ユーザ名、パスワードおよび認証レベルを含んだユーザ情報を読み出す（ステップＳ４１，Ｓ４２，Ｓ４３）。
【００３９】
次に、コントロールＳＷが、ログイン画面３１を表示する（ステップＳ４４）。その後、ユーザ名およびパスワードが入力されると（ステップＳ４５）、コントロールＳＷは、ステップＳ４３で取得されたユーザ情報とステップＳ４５で入力された情報とを比較することによりユーザ認証を行う（ステップＳ４６）。ユーザ認証がＮＧの場合（ステップＳ４６：Ｎｏ）、ステップＳ４４に戻り、初期状態のログイン画面３１を再表示する。ユーザ認証がＯＫの場合には（ステップＳ４６：Ｙｅｓ）、認証がＯＫとなったユーザの認証レベルを認定する（ステップＳ４７）。また、認証がＯＫとなったユーザのユーザ名を一括ユニット１２および分割ユニット１３に通知する。次に、コントロールＳＷは、一括ユニット用フレームと分割ユニット用フレームのＵＲＬをそれぞれ生成する（ステップＳ４８）。このとき、各ＵＲＬのパラメータには、ステップＳ４７で認定した認証レベルを設定する。そして、一括ユニット１２のＨＩ画面および分割ユニット１３のＨＩ画面を表示する（ステップＳ４９）。このステップＳ４９では、図４に示した手順と同様の手順でＨＩ画面を表示させる。すなわち、コントロールＳＷは、ステップＳ４８で生成したＵＲＬに従って一括ユニット１２および分割ユニット１３に接続し、一括ユニット用フレーム２４に表示させるＨＩ画面のデータ（ソフトウェア）と、分割ユニット用フレーム２５に表示させるＨＩ画面のデータ（ソフトウェア）を取得し、一括ユニット用フレーム２４へのＨＩ画面表示および分割ユニット用フレーム２５へのＨＩ画面表示を行う。取得するソフトウェアは、ユーザの認証レベルに応じて異なる。例えば、認証レベルがより多くの権限を有するユーザを示す「管理者」の場合、図３に示したＨＩ画面を表示させるソフトウェアを取得する。認証レベルが、限定的な権限を有するユーザ（例えば、リレーユニットの設定状態などの確認のみが許可されたユーザ）を示す「閲覧者」の場合には、図３に示したＨＩ画面から、リレーユニットの設定操作で使用するボタン（「設定開始」と表示されたボタン、「設定中止」と表示されたボタンなど）を削除したＨＩ画面を表示させるソフトウェアを取得する。なお、各ＨＩ画面の表示動作は実施の形態１で説明済みのため、説明を省略する。
【００４０】
一括ユニット１２が認証データを保持し、この認証データを使用してユーザ認証を行う場合について説明したが、分割ユニット１３が認証データを保持するように構成しても構わない。
【００４１】
このように、本実施の形態の電力系統保護制御システムでは、一方のリレーユニットが認証データを保持し、管理装置は、システムの起動時に、２つのリレーユニットに対するユーザ認証を一括して行うようにしたので、操作性を改善できる。
【産業上の利用可能性】
【００４２】
以上のように、本発明は、複数のリレーユニットを備えている電力系統保護制御システムとして有用である。
【符号の説明】
【００４３】
１  保護リレー装置
２  管理装置
１１  ＩＰ変換ユニット
１２  リレーユニット（一括ユニット）
１３  リレーユニット（分割ユニット）
２１  パーソナルコンピュータ
２２  Ｗｅｂブラウザ
２３  コントロールフレーム
２４  一括ユニット用フレーム
２５  分割ユニット用フレーム
２６，２７  操作ボタン
１２１，１３１  リレー処理部
１２２，１３２  Ｗｅｂサーバ
１２３  認証データ
【図１】
2013126296.tif 000003
【図２】
2013126296.tif 000004
【図３】
2013126296.tif 000005
【図４】
2013126296.tif 000006
【図５】
2013126296.tif 000007
【図６】
2013126296.tif 000008
【図７】
2013126296.tif 000009
【図８】
2013126296.tif 000010